(57)【要約】      （修正有）【課題】  電池素子を巻芯から取り出した後に巻止めテープを貼り付けることにより、内部応力が外周に逃げることで素子内部ストレスを軽減し、電池素子の品質の安定性を向上させることを目的とする方法。【解決手段】  巻き取り後の電池素子をクランプし、巻芯を電池素子より抜き取り、電池素子をプレス成型した後、電池素子の終端部に巻止めテープを貼り付けるような構成とした。 【選択図】図１
2006210860.tif 000002
【特許請求の範囲】
【請求項１】
コンデンサー又は二次電池等の帯状物捲回体製造の際に用いられる捲回装置において、捲回部にて電池素子が巻き上がり、捲心が電池素子と密着した状態で終端部に巻止めテープを貼らず、捲心を取り除いた状態で電池素子を成型した後、終端部に巻止めを行うテープ貼付け方法。
【請求項２】
請求項１記載の方法において、電池素子における内部ストレスを低減させて、電池素子の品質の安定化を図ることを特徴とする巻止めテープ貼付け方法。
【発明の詳細な説明】
【技術分野】
【０００１】  本発明は捲回装置に係り、特に最終巻取姿が板状の二次電池等の帯状物捲回体製造用の捲回装置に関するものである。
【背景技術】
【０００２】  例えば、リチウム電池等の二次電池は、金属集電体に一定の間隔で正極活物質が設けられた塗布部を有する正極集電体と、金属集電体に一定の間隔で負極活物質が設けられた塗布部を有する負極集電体とを備え、この正、負極集電体（電池素子材料）とがセパレーター等絶縁体を介して捲回されたものを電池素子とし、ケース内に収容して構成されている。【０００３】  このような構成の二次電池素子を得る捲回装置では、それぞれロール状に巻き上げられた正・負極電池素子材料（原反）及びセパレーター等絶縁体を捲回部まで間欠的かつ断続的に送り出し、捲回部巻芯によって捲回し、正・負極電池素子材料及びセパレーター等絶縁体を所定の長さに切断して電池素子としている。捲回部には巻芯回転用スピンドルを少なくとも１軸以上有し、電池素子材料及びセパレーター等絶縁体の巻き取り工程と電池素子材料及びセパレーター等絶縁体を切断し、終端部に巻き止めテープを貼り付け、巻上がり電池素子を装置より排出するという動作を行い、例えば２軸スピンドルでは１軸目で電池素子材料及びセパレーター等絶縁体の巻き取り及び巻き取り後の電池素子材料の切断、２軸目でセパレーター等絶縁体の切断、終端部に巻止めテープの貼付けを行い、巻上がり電池素子の装置外への排出動作をする。このため、巻止めテープの貼付けは捲回部で巻芯に電池素子が捲回された状態で行う必要があった。【０００４】  そこで従来、巻芯に電池素子が密着した状態で巻止めテープを巻き上がり電池素子の終端に貼付け、巻芯を回転させ巻止めテープ貼付けを行う方法等が知られている。
【発明の開示】
【発明が解決しようとする課題】
【０００５】  しかしながら、上述した従来の巻止めテープ貼付け方法では、巻芯に電池素子が密着した状態でテープ貼付けを行う為に、電池素子を装置外への排出動作した後プレスすると電池素子の外周がテープによって固定されている為に、内部に集中応力が発生してしまい、電池素子の品質が低減する問題があった。【０００６】  本発明はこれらの問題を解決するものであり、電池素子を巻芯から取り出し、プレスした後にテープを貼り付ける事により内部応力が外周に逃げる事により素子内部ストレスを軽減し、品質を向上させる事を目的とする。
【課題を解決するための手段】
【０００７】  前記の課題を解決する為に、本発明では巻き取り後の電池素子材料の切断、２軸目でセパレーター等絶縁体の切断後、電池素子をクランプし、巻芯を電池素子より抜き取り、電池素子をプレス成型した後、電池素子の終端部にテープを貼付けるような構成とした。
【発明の効果】
【０００８】  この構成によれば電池素子をプレス成型した場合の素子内部ストレスは外周に逃がされる為に電池の安全性と品質向上が可能である。
【発明を実施するための最良の形態】
【０００９】  本発明の実施の形態を具体的に図面により説明する。
図１、２は本発明の実施の形態に係る巻止めテープ貼付け装置の概略構成図である。図１に示すように、巻止めテープ貼付け装置は巻き上がった電池素子１を平面チャック７ａ、７ｂでクランプし巻芯２が電池素子１から抜かれ、電池素子１の受渡しを行うまで保持するための横チャック３、電池素子１の受渡し搬送とプレス成型まで行える回転可能で伸縮機構を持つ平面チャック４、平面チャック４が回転移動しプレス成型を行った電池素子１を巻止めテープ１０の貼付け時まで保持する仮押えクランバー５、また、仮押えクランバー５の上部には電池素子１の終端部に巻止めテープ１０を貼付けるための巻止めテープ貼付け部６で構成されている。また、巻止めテープ貼り付け部６には電池素子１に貼付けるために必要な巻止めテープ１０をその都度供給する事の出来る構成とした。【００１０】  図３〜１２は本発明の実施の形態に係る巻止めテープ貼付け装置に必要な各機構の動作の詳細を示す図である。図３，４で示すように横チャック３は巻き取り後の電池素子１を電池素子１の縦方向よりクランプし、巻芯２が電池素子１から抜かれ、平面チャック４への受渡しが行われるまで保持する。平面チャック４の動作は図５〜７に示すように電池素子１を受け取るために移動しクランプする。平面チャック４が電池素子１をクランプした後、横チャック３は電池素子１を離し搬送の妨げにならないように初期位置まで移動する。
また、平面チャック４は電池素子１をクランプした状態で電池素子１をプレス成型し巻止めテープ１０を貼り付けるために電池素子１の搬送を行う。平面チャック４で電池素子１を仮押さえクランパー５まで搬送した後、図６に示すように平面チャック４の手前側チャック７ａを開き、仮押さえクランパー５下部の電池素子台８ｂに載せ、電池素子押え板８ａで電池素子１をクランプした後、平面チャック４の奥側チャック７ｂを開き仮押えクランパー５への電池素子１の受け渡しを行う。電池素子１の仮押えクランパー５への受渡しを終えた平面チャック４は初期位置に移動する。なお、図７は平面チャック４から仮押えクランパー５への電池素子１の受渡しの状態を上方より示す図である。また、図８で示すように電池素子押え板８ａが電池素子１をクランプする位置は電池素子１の前方となる。電池素子押え板８ａにクランプされた電池素子１の終端部へ巻止めテープ貼付け部６を用いて巻止めテープ１０を貼付ける。巻止めテープ１０の貼付け方法は、図９〜１１に示すように、まず、電池素子押え板８ａが電池素子１に接していない部分である電池素子１の後方に巻止めテープ  貼付け（後部）９ａで巻止めテープ１０を貼付ける。その後、電池素子押え板８ａを前方にスライドさせ電池素子１の表面から離すことで電池素子押え板８ａによってクランプされていた部分に巻止めテープ貼付け（前部）９ｂで巻止めテープ１０を貼付けることが可能となるため電池素子１の終端部全体に巻止めテープ１０を貼付けることが出来る。
【産業上の利用可能性】
【００１１】  本発明は以上説明した通りであり、本発明に係る巻止めテープ貼付け方法によれば、従来の方法である電池素子と巻芯が密着状態で巻止めテープを貼付けることによって外周が固定された状態でプレス成型を行うことによって発生する電池素子内部への集中応力を、電池素子から巻芯を抜きプレス成型した後に巻止めテープを貼付けることにより電池素子の外周が固定されない為、集中応力を外周に逃がすことが可能となることにより電池の安全性と品質向上が可能となる。
【図面の簡単な説明】
【００１２】
【図１】  本発明の実施の形態に係る巻止めテープ貼付け装置の概略構成図である。
【図２】  本発明の実施の形態に係る巻止めテープ貼付け装置の概略構成図である。
【図３】  本発明の実施の形態に係る巻止めテープ貼付け装置の横チャックによる動作の様子を示す図である。
【図４】  本発明の実施の形態に係る巻止めテープ貼付け装置の横チャックから平面チャックへの電池素子の受渡し時の様子を示す図である。
【図５】  本発明の実施の形態に係る巻止めテープ貼付け装置の平面チャックによる電池素子のプレス成型から搬送の様子を示す図である。
【図６】  本発明の実施の形態に係る巻止めテープ貼付け装置の平面チャックによる仮押えクランパーへの受け渡し準備の詳細を示す図である。
【図７】  本発明の実施の形態に係る巻止めテープ貼付け装置の平面チャックから仮押えクランパーへの受け渡し時の詳細を示す図である。
【図８】  本発明の実施の形態に係る巻止めテープ貼付け装置の仮押えクランパーの詳細を示す上面図である。
【図９】  本発明の実施の形態に係る巻止めテープ貼付け装置の巻止めテープ貼付け部による電池素子への巻止めテープ貼付け時の詳細を示す図である。
【図１０】  本発明の実施の形態に係る巻止めテープ貼付け装置による電池素子への巻止めテープ貼付け時の巻止めテープの状態の詳細を示す拡大図である。
【図１１】  本発明の実施の形態に係る巻止めテープ貼付け装置の巻止めテープ貼付け部による電池素子への巻止めテープ貼付け完了時の詳細を示す拡大図である。
【符号の説明】
【００１３】  １    電池素子
２    巻芯
３    横チャック
４    平面チャック部
５    仮押えクランパー部
６    巻止めテープ貼付け部
７ａ  平面チャック（手前側）
７ｂ  平面チャック（奥側）
８ａ  仮押えクランパー（電池素子押え板）
８ｂ  仮押えクランパー（電池素子台）
９ａ  巻止めテープ貼付け（後部）
９ｂ  巻止めテープ貼付け（前部）
１０  巻止めテープ
【図１】
2006210860.tif 000003
【図２】
2006210860.tif 000004
【図３】
2006210860.tif 000005
【図４】
2006210860.tif 000006
【図５】
2006210860.tif 000007
【図６】
2006210860.tif 000008
【図７】
2006210860.tif 000009
【図８】
2006210860.tif 000010
【図９】
2006210860.tif 000011
【図１０】
2006210860.tif 000012
【図１１】
2006210860.tif 000013